(57)【特許請求の範囲】
【請求項１】
表示装置であって、
前記表示装置が受信した映像信号と付加情報信号とを含む対象信号を表示する表示部と、
前記表示装置に外部表示装置が接続されているか否かを判定する判定部と、
前記判定部によって前記外部表示装置が接続されていると判定された場合、前記対象信号の一部を前記外部表示装置に表示させる表示制御部とを備え、
前記判定部は、
接続された前記外部表示装置が表示可能な信号の種別に関する情報である機能情報を前記外部表示装置から取得し、 
前記表示制御部は、
前記機能情報に基づいて前記対象信号のうち映像信号または付加情報信号の少なくとも一部を前記外部表示装置に出力して表示させる
表示装置。
【請求項２】
前記表示制御部は、
前記判定部によって前記外部表示装置が接続されていると判定された場合、前記対象信号のうち前記付加情報信号を前記外部表示装置に出力して表示させる
請求項１記載の表示装置。
【請求項３】
前記判定部は、前記機能情報を前記外部表示装置から取得する
請求項１または２記載の表示装置。
【請求項４】
前記表示制御部は、
前記対象信号に含まれる前記付加情報信号の種別が、前記機能情報に含まれる種別か否かを判定し、
前記付加情報信号の種別が前記機能情報に含まれる種別であると判定した場合、前記付加情報信号を前記外部表示装置に表示させる
請求項２または３記載の表示装置。
【請求項５】
前記表示制御部は、
前記対象信号に含まれる前記付加情報信号の種別が、前記機能情報に含まれる種別か否かを判定し、
前記付加情報信号の種別が前記機能情報に含まれない種別であると判定した場合、前記付加情報信号の種別を前記機能情報に含まれる種別の信号に変換して前記外部表示装置に表示させる
請求項２〜４のいずれか１項に記載の表示装置。
【請求項６】
前記表示制御部は、前記対象信号に含まれる信号の種別が、前記機能情報に含まれている種別か否かを判定し、含まれていると判定された信号を前記外部表示装置に表示させる
請求項１記載の表示装置。
【請求項７】
前記表示制御部は、前記外部表示装置が接続されていないと前記判定部が判定した場合には、前記対象信号を前記表示部に表示させる
請求項１〜６のいずれか１項に記載の表示装置。
【請求項８】
前記映像信号と前記付加情報信号とを分離するために用いられる識別情報を特定する選局部をさらに備え、
前記表示装置は、特定された前記識別情報を用いて前記対象信号を前記映像信号と前記付加情報信号とに分離する
請求項１〜７のいずれか１項に記載の表示装置。
【請求項９】
（ａ）通常の電力供給状態である通常通電状態と、（ｂ）前記判定部と前記表示制御部には電力が供給されるが、前記通常通電状態よりも省電力の通電状態であるスタンバイ状態の、いずれの通電状態であるかを判定する電源制御部をさらに備えており、
前記電源制御部が、前記通電状態を前記スタンバイ状態であると判定し、かつ、前記判定部が、前記表示装置に前記外部表示装置が接続されていると判定した場合に、
前記表示制御部は、前記付加情報信号を前記外部表示装置に表示させる
請求項８記載の表示装置。
【請求項１０】
前記選局部が、前記識別情報に、前記付加情報信号が緊急信号であることを示す情報が含まれていると判定し、
前記電源制御部が、前記通電状態が前記スタンバイ状態であると判定し、かつ、
前記判定部が、前記外部表示装置が接続されていないと判定した場合に、
前記電源制御部は、前記通電状態を前記スタンバイ状態から前記通常通電状態に切り替える
請求項９記載の表示装置。
【請求項１１】
前記付加情報信号は、字幕信号、緊急信号及び広告信号のうち少なくとも１つを含む
請求項１〜１０のいずれか１項に記載の表示装置。
【請求項１２】
前記機能情報は、文字コード、事前に定められた特定のメッセージに対応するメッセージＩＤ、及びＳＷＦ（Ｓｍａｌｌ  Ｗｅｂ  Ｆｏｒｍａｔ／Ｓｈｏｃｋｗａｖｅ  Ｆｌａｓｈ）のうち少なくとも１つを含む
請求項１〜１１のいずれか１項に記載の表示装置。
【請求項１３】
受信した対象信号を表示する表示装置であって、
表示部と、
通信部と、
制御部とを備えており、
前記通信部は、（ａ）前記表示装置と前記表示装置とは異なる他の表示装置とが接続中であるか否かを判定するための接続検出信号と、（ｂ）前記表示装置が表示可能な対象信号の種別に関する情報である機能情報を取得するための表示能力クエリーと、を含む制御信号を前記他の表示装置である請求項１に記載の表示装置から取得した場合には、取得した前記制御信号を前記制御部へ出力し、前記制御部から出力された前記制御信号に対応する応答信号を前記他の表示装置へ出力し、
前記制御部は、（ｉ）前記制御信号が前記接続検出信号である場合には、前記表示装置が前記他の表示装置に接続中であることを示す接続中信号を前記応答信号として前記通信部へ出力し、（ｉｉ）前記制御信号が前記表示能力クエリーである場合には、前記機能情報を前記応答信号として前記通信部へ出力する
表示装置。
【請求項１４】
前記機能情報は、文字コード、事前に定められた特定のメッセージに対応するメッセージＩＤ、及びＳＷＦ（Ｓｍａｌｌ  Ｗｅｂ  Ｆｏｒｍａｔ／Ｓｈｏｃｋｗａｖｅ  Ｆｌａｓｈ）のうち少なくとも１つを含む
請求項１３記載の表示装置。
【発明の詳細な説明】
【技術分野】
【０００１】
本発明は、多重化された信号の表示装置、より特定的には、デジタルテレビ放送受信装置、および通信技術におけるマルチキャスト技術を用いた放送番組の受信装置に関するものであって、視聴環境に適した表示方法を実現する表示装置に関する。
【背景技術】
【０００２】
非特許文献１に放送運用規定等が記載されているデジタルテレビ放送では、番組データ（視聴者が選局時に通常視聴する映像信号及び音声信号）と当該番組に付随する字幕信号、当該番組に付随しない緊急信号等を１つのトランスポートストリーム（TS:Transport Stream）に多重化して伝送することが可能である。このＴＳへの多重化構造は、ＩＳＯ／ＩＥＣ  ＩＳ  １３８１８−１，Ｉｎｔｅｒｎａｔｉｏｎａｌ  Ｓｔａｎｄａｒｄ，ＭＰＥＧ−２  Ｓｙｓｔｅｍｓに規定されている。
【０００３】
緊急信号の例としては、米国の次世代地上波放送の標準規格ＡＴＳＣ  Ａ／５２〜６３（ATSC）がある。これによると、地震や風水害等の自然災害時およびその他の非常緊急時（以下、非常時という）において、視聴者が選局時に通常視聴する映像信号、文字信号および音声信号とは別の映像信号、文字信号および音声信号として、緊急信号を番組データに多重化して伝送することができる。
【０００４】
多重化されたＴＳを受信して再生する受信装置には、視聴者の指示や予め指定された設定に応じて、受信した緊急信号に含まれる字幕信号を映像化したものを、受信した映像信号に多重化して表示することを可能にしたものがある。また、緊急信号は、最も優先して視聴者に認識させるべき信号であるため、視聴者の指示や予め設定された設定とは関係なく、常に映像信号に多重化して表示する受信装置がある。
【０００５】
ここで、図１１を用いて、従来のデジタルテレビ受信装置９００の動作について簡単に説明する。なお、図１１は、従来のデジタルテレビ受信装置の構成を示すブロック図である。
【０００６】
図１１において、デジタルテレビ受信装置９００は、放送受信部９０１、選局部９０２、信号分離部９０３、音声信号処理部９０４、映像信号処理部９０５、文字等信号処理部９０６、音声信号出力部９０７、映像信号出力部９０８および表示部９０９で構成されている。
【０００７】
放送受信部９０１は、ＲＦ信号（放送信号）を受信してデジタル信号に復調し、制御信号を選局部９０２に出力すると共に、デジタル信号に復調された復調信号を信号分離部９０３に出力する。
【０００８】
選局部９０２は、放送受信部９０１から入力された制御信号を用いて、処理すべき信号を特定するためにＴＳで定義される識別情報を特定し、特定された識別情報を信号分離部９０３に出力する。
【０００９】
信号分離部９０３は、選局部９０２から出力された識別情報を用いて、放送受信部９０１から出力された復調信号を、処理すべき音声信号、映像信号および、その他文字等の文字等信号に分離及び抽出する。さらに、信号分離部９０３は、抽出された音声信号、映像信号及び文字等信号を、音声信号処理部９０４、映像信号処理部９０５、文字等信号処理部９０６にそれぞれ出力する。
【００１０】
音声信号処理部９０４は、信号分離部９０３から入力された音声信号を処理してアナログ音声信号に変換する。アナログ音声信号は、音声信号出力部９０７により音声として出力される。
【００１１】
映像信号処理部９０５は、信号分離部９０３から入力された映像信号を処理してアナログ映像信号に変換する。また、文字等信号処理部９０６は、信号分離部９０３から入力されたその他文字等の文字等信号を処理してアナログ映像信号に変換する。
【００１２】
これらの映像信号は、映像信号出力部９０８により多重化後に出力され、表示部９０９において表示される。
【００１３】
このようなデジタルテレビ受信装置９００において、緊急信号は視聴者に最優先で認識させるべき信号である。しかし、緊急信号の表示について以下のような課題がある。
【００１４】
課題１：ゲームのプレイ中等、デジタルテレビ受信装置９００の表示部に外部機器からの映像を表示している時には、緊急信号は表示されない。
【００１５】
課題２：デジタルテレビ受信装置９００の電源を切っている場合には、緊急信号は表示されない。
【００１６】
課題３：視聴者が本来見たい映像の一部分を隠してしまうか、小さくしてしまう。特に、緊急信号の表示は一定期間継続して表示されるため、その緊急信号が本当に必要でない視聴者の映像視聴（番組視聴）の利益を損ねてしまう。
【００１７】
課題１については、外部機器からの映像を表示している時でも緊急信号の表示を行なう方法が考えられる。
【００１８】
例えば、特許文献１では、外部機器からの映像が入力されている時に、緊急信号が含まれる識別情報を抽出し、指定させる選局指示と、得られた緊急信号のメッセージを、表示中の映像に自動的に合成する方法が開示されている。
【００１９】
また、課題２については、主電源が切られている場合でも、放送受信部９０１、選局部９０２および信号分離部９０３に電源を供給することで、放送信号から緊急信号が分離できるように構成する。その結果、緊急信号が分離された場合には、主電源を接続する（オンにする）方法が考えられる。特許文献２においては、ＣＡＴＶ受信端末におけるこのような方法が開示されている。
【００２０】
また、課題３については、録画されたデータのタイムシフト再生においては、緊急信号の有効性が時間と共に減少することを利用して、有効でないと判断される緊急信号を表示しないようにする方法が考えられる。具体的には、特許文献３において、放送時刻と再生現在時刻との差を用いて、タイムシフト再生時の緊急信号の再生を制御する方法が開示されている。
【００２１】
しかしながら、特許文献１、特許文献２および特許文献３は、いずれも、課題１〜課題３の全ての課題を解決するものではない。また、特許文献３に開示されている方法は、課題３に対して、録画された番組のタイムシフト再生のときにのみ有効であって、放送番組をリアルタイムで視聴している場合には効果が得られない。
【００２２】
さらに、緊急信号に限らず字幕信号（例えば、多国語音声番組の字幕表示や、聴覚に障害にある方のための字幕表示等のための文字信号）も本来の映像を隠してしまう。しかし、字幕信号は、録画された番組のタイムシフト再生であっても、視聴者にとっては必要不可欠であるのに、特許文献３に開示されている方法によれば、場合によっては字幕信号の表示が消去されてしまうという課題がある。
【００２３】
一方、複数の信号を別の表示部に表示させることで、使用者の利便性を図る技術が考案されている。例えば、特許文献４には、車内の表示装置において、運転者にとって緊急性の高い信号を、視線方向検出器により検出された第１の表示部とは別の第２の表示部に表示し、その旨を第１の表示部に表示する方法が開示されている。
【００２４】
特許文献４に開示されている方法をデジタルテレビ受信装置９００に適用し、デジタルテレビ受信装置９００が本来具備する表示部とともに別の表示部（第２の表示部）を利用すれば、視聴者は、第２の表示部に緊急信号を表示させることにより、緊急信号を確認することができる。さらに、視聴者は、本来視聴者が見たい番組の映像を、緊急信号の表示に邪魔されることなく視聴することが可能となる。
【００２５】
言い換えると、視聴者は、第２の表示部に表示された信号を、自分の意思で確認して自分にとっての重要度を判断し、自分にとって重要度が低いと判断した場合には、直ちに、緊急信号の表示に邪魔されることなく映像（番組）を継続視聴することが可能となる。
【００２６】
すなわち、デジタルテレビ受信装置９００において、このような第２の表示部を使用することにより、課題１および課題３を同時に解決することが可能となる。
【先行技術文献】
【特許文献】
【００２７】
【特許文献１】特開２００３−２０９７６１号公報
【特許文献２】特開２００１−１８６４９３号公報
【特許文献３】特開平１１−１５５１１２号公報
【特許文献４】特開２００７−１４５３１０号公報
【非特許文献】
【００２８】
【非特許文献１】「地上デジタルテレビジョン放送運用規定技術資料ＡＲＩＢＴＲ−Ｂ１４」（社団法人電波産業界）
【発明の概要】
【発明が解決しようとする課題】
【００２９】
しかしながら、デジタルテレビ受信装置９００において、単純に第２の表示部を使用しただけでは、第２の表示部との接続状況の管理が視聴者の負担となる結果、緊急信号等、必要な信号の表示を視聴者が見逃しうる。
【００３０】
特に、第２の表示部として携帯表示機器等を使用することには、使用者にとっては利便性が向上すると共に金銭面での負担を軽減できるというメリットがある。しかし、第２の表示部である携帯表示機器において接続・切断の操作が頻繁に繰り返される可能性が高い。
【００３１】
このような利用形態においては、第２の表示部を接続したつもりで接続されていなかったり、逆に切断したつもりで接続されていたり等、視聴者が混乱する結果、第２の表示部へ出力された信号を視聴者が見逃す可能性が高まるという課題がある。
【００３２】
本発明は、このような課題に鑑みてなされたものであり、デジタルテレビ放送の視聴において、以下に示す（１）〜（３）を同時に実現することで、視聴者を邪魔することなく、確実に字幕信号及び緊急信号を表示可能な表示装置を提供することを目的とする。
【００３３】
（１）字幕信号及び緊急信号を表示する場合でも、視聴者は本来見たい番組の映像を隠されることなく視聴することができる。
【００３４】
（２）字幕信号及び緊急信号を表示する場合でも、視聴者は本来見たい番組の映像の表示サイズを維持した状態で視聴することができる。
【００３５】
（３）視聴者は不可欠な字幕信号及び緊急信号を見逃さない。
【課題を解決するための手段】
【００３６】
本発明のある局面に係る表示装置は、映像信号と付加情報信号とを含む対象信号を表示する表示部と、外部表示装置が接続されているか否かを判定する判定部と、前記判定部によって前記外部表示装置が接続されていると判定された場合、前記対象信号の一部を前記外部表示装置に表示させる表示制御部とを備える。
【００３７】
この構成によると、外部表示装置を活用することができる状態においては、視聴者は、字幕信号及び緊急信号が表示された場合でも本来見たい番組の映像を隠されることなく、また映像の表示サイズを維持した状態で視聴することができる。
【００３８】
また、外部表示装置との接続状態を判定部が自動的に判定することができる。さらに、外部表示装置が検出された場合には、表示制御部は、表示装置が備える表示手段と外部表示装置との両方を利用して、視聴者にとって不可欠な字幕信号及び緊急信号が見逃されないように、映像信号、字幕信号及び緊急信号の表示先を適切に制御することができる。
【００３９】
また、前記表示制御部は、前記判定部によって前記外部表示装置が接続されていると判定された場合、前記対象信号に含まれる前記付加情報信号を前記外部表示装置に表示させてもよい。
【００４０】
また、前記判定部は、接続された前記外部表示装置が表示可能な信号の種別に関する情報である機能情報を取得し、前記表示制御部は、前記機能情報に基づいて前記対象信号の一部を前記外部表示装置に表示させてもよい。
【００４１】
具体的には、前記判定部は、前記機能情報を前記外部表示装置から取得する。
【００４２】
また、前記表示制御部は、前記対象信号に含まれる信号の各々が、前記機能情報に含まれているか否かを判定し、含まれていると判定された信号を前記外部表示装置に表示させる。
【００４３】
この構成によると、外部表示装置に表示可能な信号を優先的に外部表示装置に表示させることで、表示部に表示される信号を限定し、視聴者を邪魔することなく、確実に字幕信号及び緊急信号を外部表示装置に表示することができる。
【００４４】
また、前記表示制御部は、前記外部表示装置が接続されていないと前記判定部が判定した場合には、前記対象信号を前記表示部に表示させる。
【００４５】
この構成によると、表示制御部は外部表示装置が接続されている時のみ、外部表示装置に信号を送る。よって、例えば視聴者の設定ミスにより、緊急信号等の必要な信号が接続されていない外部表示装置にのみ送られた結果、視聴者がこれら緊急信号等の表示を見逃すことを防止することができる。
【００４６】
また、前記映像信号と前記付加情報信号とを分離するための識別情報を出力する選局部をさらに備えてもよい。
【００４７】
本発明の他の局面に係る表示装置は、（ａ）通常の電力供給状態である通常通電状態と、（ｂ）前記判定部と前記表示制御部には電力が供給されるが、前記通常通電状態よりも省電力の通電状態であるスタンバイ状態の、いずれの通電状態であるかを判定する電源制御部をさらに備えており、前記電源制御部が、前記通電状態を前記スタンバイ状態であると判定し、前記判定部が、前記外部表示装置が接続されていると判定した場合に、前記表示制御部は、前記付加情報信号を前記外部表示に表示させる。
【００４８】
より具体的には、前記選局部が、前記識別情報に、前記付加情報信号が緊急信号であることを示す情報が含まれていると判定し、前記電源制御部が、前記通電状態が前記スタンバイ状態であると判定し、かつ、前記判定部が、前記外部表示装置が接続されていないと判定した場合に、前記電源制御部は、前記通電状態を前記スタンバイ状態から前記通常通電状態に切り替える。
【００４９】
この構成によると、表示装置がスタンバイ状態から通常通電状態に移行し、緊急信号等を表示可能となるまでに時間を要する場合においても、外部表示装置が接続されているときには、迅速な表示が可能となる。さらに、電力消費の少ない外部表示装置を優先して使用することにより、電力消費量を抑えることができる。
【００５０】
また、前記付加情報信号は、字幕情報、緊急情報及び広告情報のうち少なくとも１つを含む。
【００５１】
また、前記機能情報は、文字コード、事前に定められた特定のメッセージに対応するメッセージＩＤ、及びＳＷＦ（Small Web Format/Shockwave Flash)のうち少なくとも１つを含む。
【００５２】
本発明の他の局面に係る表示装置は、表示部と、通信部と、制御部とを備えており、前記通信部は、（ａ）接続中であるか否かを判定するための接続検出信号と、（ｂ）前記表示装置が表示可能な対象信号の種別に関する情報である機能情報を取得するための表示能力クエリーと、を含む制御信号を前記表示装置とは異なる他の表示装置から取得した場合には、取得した前記制御信号を前記制御部へ出力し、前記制御部から出力された前記制御信号に対応する応答信号を前記他の表示装置へ出力し、前記制御部は、（ｉ）前記制御信号が前記接続検出信号である場合には、前記表示装置が前記他の表示装置に接続中であることを示す接続中信号を前記応答信号として前記通信部へ出力し、（ｉｉ）前記制御信号が前記表示能力クエリーである場合には、前記機能情報を前記応答信号として前記通信部へ出力する。
【００５３】
この構成によると、他の表示装置は、接続検出信号を送ることにより、接続中であるか否かを判定することができる。さらに、他の表示装置は、表示能力クエリーを送ることにより、表示装置の機能情報を取得することができる。
【００５４】
具体的には、前記機能情報は、文字コード、事前に定められた特定のメッセージに対応するメッセージＩＤ、及びＳＷＦ（Small Web Format/Shockwave Flash）のうち少なくとも１つを含む。
【発明の効果】
【００５５】
本発明の表示装置によれば、外部表示装置（外部ディスプレイ）を活用することができる状態においては、視聴者は、字幕信号及び緊急信号を表示する場合でも本来見たい番組の映像を隠されることなく、また映像の表示サイズを維持した状態で視聴することができる。
【００５６】
また、外部表示装置との接続状態を表示装置が自動的に検出することができる。さらに、外部表示装置が検出された場合には、表示装置が備える表示部と、外部表示装置とのそれぞれに表示すべき信号を判断することで、視聴者にとって不可欠な字幕信号及び緊急信号の表示を見逃さないよう表示することができる。
【図面の簡単な説明】
【００５７】
【図１】図１は、本発明の実施の形態１に係る表示装置の構成を示すブロック図である。
【図２】図２は、本発明の実施の形態１に係る表示装置に外部ディスプレイが接続されていない場合の表示例を示す図である。
【図３】図３は、本発明の実施の形態１に係る表示装置に外部ディスプレイが接続されている場合の表示例を示す図である。
【図４】図４は、本発明の実施の形態１に係る表示装置の外部ディスプレイ検知部の動作手順を示すフローチャートである。
【図５】図５は、本発明の実施の形態１に係る表示装置の出力先切替部が、外部ディスプレイの表示能力も考慮して出力先を切り替える場合の動作手順を示すフローチャートである。
【図６】図６は、本発明の実施の形態１に係る出力先切替部が、取得された信号が外部出力対象の信号であるか否かを判定するための出力先切替表の一例を示す図である。
【図７】図７は、本発明の実施の形態１に係る外部ディスプレイが対応している出力形式の対応表の一例を示す図である。
【図８】図８は、本発明の実施の形態１に係る外部ディスプレイの機能ブロックを示すブロック図である。
【図９】図９は、本発明の実施の形態１に係る外部ディスプレイの処理の流れを示すフローチャートである。
【図１０】図１０は、本発明の実施の形態２に係る表示装置の構成を示すブロック図である。
【図１１】図１１は、従来のデジタルテレビ受信装置の構成を示すブロック図である。
【図１２】図１２は、本発明の実施の形態１〜２にかかる表示装置を実現するコンピュータシステムの一例を示す外観図である。
【図１３】図１３は、本発明の実施の形態１〜２にかかる表示装置を実現するコンピュータシステムのハードウェア構成を示すブロック図である。
【発明を実施するための形態】
【００５８】
以下に、本発明を実施するための形態について、図面を参照しながら説明する。
【００５９】
（実施の形態１）
図１を用いて、本発明の実施の形態１に係る表示装置１００について説明する。なお、図１は、本発明の実施の形態１に係る表示装置の構成を示すブロック図である。
【００６０】
図１において、表示装置１００は、放送受信部１０１、選局部１０２、信号分離部１０３、音声信号処理部１０４、映像信号処理部１０５、文字等信号処理部１０６、音声信号出力部１０７、映像信号出力部１０８、表示部１０９、外部ディスプレイ検知部１１１、出力先切替部１１２および外部出力部１１３で構成される。
【００６１】
なお、図１に示す本発明の実施の形態１に係る表示装置１００における放送受信部１０１、選局部１０２、信号分離部１０３、音声信号処理部１０４、映像信号処理部１０５、文字等信号処理部１０６、音声信号出力部１０７、映像信号出力部１０８および表示部１０９は、それぞれ、図１１に示す従来のデジタルテレビ受信装置９００における放送受信部９０１、選局部９０２、信号分離部９０３、音声信号処理部９０４、映像信号処理部９０５、文字等信号処理部９０６、音声信号出力部９０７、映像信号出力部９０８および表示部９０９と基本的に同様の機能を備えたブロックである。
【００６２】
ここで、請求の範囲の記載と実施の形態１における各部との関係を説明すると、表示部は映像信号出力部１０８と表示部１０９に相当する。外部表示装置は外部ディスプレイ１５０に相当する。判定部は外部ディスプレイ検知部１１１と外部出力部１１３に相当する。表示制御部は出力先切替部１１２に相当する。放送受信部は放送受信部１０１に相当する。選局部は選局部１０２に相当する。
【００６３】
放送受信部１０１は、ＲＦ信号（放送信号）を受信してデジタル信号に復調し、制御信号を選局部１０２に出力する。また、放送受信部１０１は、デジタル信号に復調された復調信号を信号分離部１０３に出力する。
【００６４】
選局部１０２は、放送受信部１０１から入力された制御信号を用いて、処理すべき信号を特定するためにＴＳで定義される識別情報を特定する。また、選局部１０２は、特定された識別情報を信号分離部１０３に出力する。
【００６５】
信号分離部１０３は、選局部１０２から入力された識別情報を用いて放送受信部１０１から入力された復調信号を、処理すべき音声信号、映像信号および、その他の付加的な情報を伝える文字等を含む文字等信号（以後、付加情報信号ともいう）に分離・抽出し、出力先切替部１１２に出力する。
【００６６】
外部ディスプレイ検知部１１１は、外部ディスプレイが表示装置１００の外部出力部１１３に接続されているか否かを検知し、その結果（接続情報）を出力先切替部１１２に出力する。
【００６７】
出力先切替部１１２は、接続情報や、工場出荷時の設定分類、視聴者により変更された設定分類、および、後述する外部ディスプレイ検知部１１１から通知される外部ディスプレイ１５０の表示能力に関する情報（例えば、どのような種別の信号を表示できるかを示す情報。以後、機能情報という）に従い、信号分離部１０３から分離・入力された音声信号、映像信号および文字等信号を、音声信号処理部１０４、映像信号処理部１０５、文字等信号処理部１０６および外部出力部１１３のいずれに出力するかを決定して出力する。
【００６８】
その際、出力先切替部１１２は、外部ディスプレイ検知部１１１から取得した外部ディスプレイの接続情報に基づき、外部ディスプレイが接続されている場合には、外部出力部１１３へ信号を出力するとしてもよい。
【００６９】
ここで、工場出荷時の設定分類としては、以下のようなものが考えられる。
【００７０】
例えば、文字等信号を、字幕信号、緊急信号および広告信号等に分類し、分類された各信号を映像信号として必ず多重化して同時に表示させる設定を設定分類Ａとし、それ以外の分類を設定分類Ｂとすること等が考えられる。
【００７１】
また、視聴者により変更された設定分類とは、視聴者の意思により工場出荷時に設定された設定分類から変更された設定分類のことである。
【００７２】
音声信号処理部１０４は、出力先切替部１１２から入力された音声信号を処理してアナログ音声信号とする。アナログ音声信号は、音声信号出力部１０７により音声として出力される。
【００７３】
映像信号処理部１０５は、出力先切替部１１２から入力された映像信号を処理してアナログ映像信号とした後、映像信号出力部１０８に出力する。
【００７４】
文字等信号処理部１０６は、出力先切替部１１２から入力された文字等信号を処理してアナログ映像信号とした後、映像信号出力部１０８に出力する。
【００７５】
映像信号出力部１０８は、映像信号処理部１０５および文字等信号処理部１０６からそれぞれ入力されたアナログ映像信号を多重化（すなわち、映像として重ね合わされるように合成）し、多重化されたアナログ映像信号を表示部１０９に出力して表示する。
【００７６】
外部出力部１１３は、出力先切替部１１２から入力された信号を、接続されている外部ディスプレイ１５０に出力する。
【００７７】
また、外部ディスプレイ検知部１１１が、外部出力部１１３に接続された外部ディスプレイ１５０の機能情報を所定の方法により取得し、取得した機能情報を出力先切替部１１２に通知する。これにより、出力先切替部１１２は、外部出力部１１３に接続された外部ディスプレイ１５０の表示能力を知ることができ、その能力に応じて外部ディスプレイ１５０への出力対象とする信号の種別を変更することが可能である。
【００７８】
例えば、映像信号を出力できない外部ディスプレイに換えて、映像信号を出力可能な外部ディスプレイが接続された場合、出力先切替部１１２は、それまでは外部ディスプレイへ出力していなかった映像信号を、新たに出力対象とする信号の種別に追加することが可能となる。
【００７９】
すなわち、出力先切替部１１２は、信号分離部１０３によって分離され、出力先切替部１１２へ入力された信号が外部出力部１１３への出力対象信号であるか否かを、外部ディスプレイ検知部１１１から通知された外部ディスプレイ１５０の機能情報を用いて判定することで、より確実に必要な信号の表示を行なうことが可能となる。
【００８０】
なお、外部ディスプレイ１５０の機能情報を取得する上記の所定の方法として、外部ディスプレイ１５０の接続Ｉ／Ｆ（Interface）に応じて適した方法を実装することが可能である。
【００８１】
例えば、ＩＰ（Internet Protocol）ネットワークで接続される場合は、ＩＰを用いた通信により外部ディスプレイ１５０の機能情報を外部ディスプレイ検知部１１１から入手することが可能である。
【００８２】
次に、図２と図３を用いて、以上のように構成された表示装置１００において、外部ディスプレイ１５０が接続されていない場合および接続されている場合のそれぞれで、主となる信号に多重化される信号（以後、従となる信号という）がどのように表示されるかについて説明する。
【００８３】
ここでは特に、主となる信号として映像を表示するための映像信号を例に挙げ、従となる信号として緊急メッセージ（例えば、緊急事態の内容や被害情報、避難指示等）を表示するための緊急信号を例に挙げて説明する。
【００８４】
図２は、本発明の実施の形態１に係る表示装置１００に外部ディスプレイ１５０が接続されていない場合の表示例を示す図である。一方、図３は、本発明の実施の形態１に係る表示装置１００に外部ディスプレイ１５０が接続されている場合の表示例を示す図である。
【００８５】
図２に示すように、表示装置１００に外部ディスプレイ１５０が接続されていない場合、表示装置１００における表示部１０９には、緊急メッセージが、視聴者が本来見たい番組の映像の一部を隠す、あるいは邪魔する形で表示されることとなる。
【００８６】
一方、図３に示すように、表示装置１００に外部ディスプレイ１５０が接続されている場合には、緊急メッセージは外部ディスプレイ１５０に表示される。よって、表示装置１００の表示部１０９には、視聴者が本来見たい番組の映像が、緊急メッセージに隠されたり邪魔されたりすることなく表示される。
【００８７】
いずれにせよ、外部ディスプレイ１５０が表示装置１００に接続されているか否かに関わらず、図２及び図３に示したように、緊急メッセージはいずれかのディスプレイに確実に表示されることになる。
【００８８】
次に、図４を用いて、本発明の実施の形態１に係る表示装置１００の外部ディスプレイ検知部１１１の動作手順について説明する。
【００８９】
図４は、本発明の実施の形態１に係る表示装置１００の外部ディスプレイ検知部１１１の動作手順を示すフローチャートである。
【００９０】
図４において、外部ディスプレイ検知部１１１は、外部ディスプレイ１５０の接続検知を開始する（Ｓ４０１）。このとき、接続状態管理変数を初期状態の「未接続」とする。
【００９１】
外部ディスプレイ検知部１１１は、外部ディスプレイ１５０の接続検知を開始した後、外部ディスプレイ１５０が接続されているか否かを判定する（Ｓ４０２）。
【００９２】
ステップＳ４０２において、外部ディスプレイ１５０が接続されていると判定された場合（ステップＳ４０２においてＹｅｓの場合）には、外部ディスプレイ検知部１１１は、接続状態管理変数が「未接続」であるか否かを判定する（Ｓ４０３）。
【００９３】
ステップＳ４０３において、接続状態管理変数が「未接続」であると判定された場合（ステップＳ４０３においてＹｅｓの場合）には、外部ディスプレイ検知部１１１は、接続状態管理変数を「接続」に変更するとともに、出力先切替部１１２に対して接続状態管理変数の値（「接続」）を出力し、ステップＳ４０２に戻る（Ｓ４０４）。
【００９４】
ステップＳ４０３において、接続状態管理変数が「未接続」でないと判定された場合（ステップＳ４０３においてＮｏの場合）には、ステップＳ４０２に戻る。
【００９５】
一方、ステップＳ４０２において、外部ディスプレイ１５０が接続されていないと判定された場合（ステップＳ４０２においてＮｏの場合）には、外部ディスプレイ検知部１１１は、接続状態管理変数が「未接続」であるか否かを判定する（Ｓ４０５）。
【００９６】
ステップＳ４０５において、接続状態管理変数が「未接続」であると判定された場合（ステップＳ４０５においてＹｅｓの場合）には、ステップＳ４０２に戻る。
【００９７】
ステップＳ４０５において、接続状態管理変数が「未接続」でないと判定された場合（ステップＳ４０５においてＮｏの場合）には、外部ディスプレイ検知部１１１は、接続状態管理変数を「未接続」に変更し、出力先切替部１１２に対して接続状態管理変数の値（「未接続」）を出力し、ステップＳ４０２に戻る（Ｓ４０６）。
【００９８】
なお、外部ディスプレイ検知部１１１は、接続された外部ディスプレイ１５０の機能情報の入手を行なう機能を備えていてもよい。
【００９９】
外部ディスプレイ検知部１１１がこのような機能を備えている場合には、外部ディスプレイ検知部１１１は、入手した外部ディスプレイ１５０の機能情報を、例えば、図７に示すような外部ディスプレイ１５０の出力形式対応表に加工し、接続状態管理変数の値と関連付けた後、図４に示すステップＳ４０４において、出力先切替部１１２に対して出力するように構成してもよい。または、外部ディスプレイ検知部１１１は、取得した外部ディスプレイが接続されているか否かを示す情報及び外部ディスプレイ１５０の機能情報をそのまま出力先切替部１１２へ出力し、出力先切替部１１２が適宜加工等の処理を行ってもよい。
【０１００】
なお、上記の実施の形態では、外部ディスプレイ検知部１１１は、常に外部ディスプレイ１５０が接続されているか否かを確認する手順を例に挙げて説明したが、これに限られない。例えば、外部ディスプレイ検知部１１１は、一定時間ごとに確認をするようにしてもかまわない。また、外部ディスプレイ１５０の接続・切断に対応して信号を発生させ、外部ディスプレイ検知部１１１がこの信号を取得することにより、外部ディスプレイ１５０の接続又は非接続状態を更新する手順で実装することが可能なことは、容易に類推可能である。
【０１０１】
次に、図５を用いて、本発明の実施の形態１に係る表示装置１００の出力先切替部１１２が、外部ディスプレイ１５０の表示能力も考慮して出力先を切り替える場合の動作手順について説明する。
【０１０２】
図５は、本発明の実施の形態１に係る表示装置１００の出力先切替部１１２が、外部ディスプレイの表示能力も考慮して出力先を切り替える場合の動作手順を示すフローチャートである。
【０１０３】
まず、出力先切替部１１２は、信号分離部１０３から出力された信号を取得する（Ｓ５０１）。この取得された信号は、既に信号分離部１０３によって多重化された信号から個々に分離された信号となっており、この信号に含まれる情報の種別である情報種別が識別可能な状態となっている。
【０１０４】
例えば、ＭＰＥＧ２トランスポートストリームにおいては、プログラムＩＤ（PID:Program IDentification）により、入力された信号の情報種別を識別することができる。なお、ここでは、放送受信部１０１で受信する信号には、ＭＰＥＧ２トランスポートストリームである場合を例に挙げて説明する。
【０１０５】
出力先切替部１１２は、信号分離部１０３から出力された信号を取得すると、外部ディスプレイ検知部１１１から取得した接続状態管理変数の値が「接続」であるか否かを判定する（Ｓ５０２）。
【０１０６】
より具体的には、外部ディスプレイ検知部１１１は、外部ディスプレイ１５０の接続状態を判定するため、外部出力部１１３を介して、外部ディスプレイ１５０に接続検出信号を出力する。外部ディスプレイ１５０はこの接続検出信号が入力されると、その応答として接続中信号を外部出力部１１３へ出力する。この接続中信号は、外部出力部１１３から外部ディスプレイ検知部１１１へ出力される。
【０１０７】
外部ディスプレイ検知部１１１は、接続中信号が戻ってくると、接続状態管理変数の値を「接続」に設定する。一方、接続検出信号に対する接続中信号が戻ってこなければ、外部ディスプレイ検知部１１１は、接続状態管理変数の値を「未接続」に設定する。なお、外部ディスプレイ検知部１１１と外部出力部１１３の間の通信処理については、後ほど詳細に説明する。
【０１０８】
次に、ステップＳ５０２において、接続状態管理変数の値が「接続」であると判定された場合（ステップＳ５０２においてＹｅｓの場合）には、出力先切替部１１２は、入力された信号が外部出力対象の信号であるか否かを判定する（Ｓ５０３）。
【０１０９】
ステップＳ５０３において、出力先切替部１１２は、信号分離部１０３から入力された信号が外部出力対象の信号であると判定した場合（ステップＳ５０３においてＹｅｓの場合）には、当該信号を外部出力部１１３に出力する。さらに外部出力部１１３は、出力先切替部１１２から入力された出力形式の変換が必要であることを示す信号が送られてきた場合には、当該信号に基づき出力形式の変換を実施し、外部ディスプレイ１５０に出力する。
【０１１０】
一方、ステップＳ５０３において、信号分離部１０３から入力された信号が外部出力対象の信号でないと出力先切替部１１２が判定した場合（ステップＳ５０３においてＮｏの場合）、および、ステップＳ５０２において、接続状態管理変数の値が「接続」でないと判定された場合（ステップＳ５０２においてＮｏの場合）には、出力先切替部１１２は、信号分離部１０３から入力された信号を、表示装置１００内部の出力先である音声信号処理部１０４、映像信号処理部１０５、あるいは文字等信号処理部１０６にそれぞれ出力する（Ｓ５０５）。
【０１１１】
次に、前述のステップＳ５０３において、取得された信号が外部出力対象の信号であるか否かを出力先切替部１１２が判定する方法について、図６および図７を用いて、出力先切替表を用いる場合を例に挙げて説明する。
【０１１２】
図６は、本発明の実施の形態１に係る出力先切替部１１２が、取得された信号が外部出力対象の信号であるか否かを判定するための出力先切替表の一例を示す図である。
【０１１３】
出力先切替部１１２は、図６に示されるような出力先変換表を、内蔵する不揮発性記憶領域（ROM(Read Only Memory)やNVRAM(Non Volatile RAM(Random Access Memory))等）へ事前に記憶している。なお、この出力先変換表が視聴者によって修正可能なように、表示装置１００が構成されていてもよい。
【０１１４】
図７は、本発明の実施の形態１に係る機能情報の一例を示す図である。図７に示される出力形式欄には、図６に示される出力先変換表の出力変換要否欄で指定される出力形式（例えば、文字コードやメッセージＩＤ等）が、指定される。出力形式欄で指定された出力形式についての外部ディスプレイの対応の可否（対応、又は、非対応）は、外部ディスプレイの対応欄に示されている。
【０１１５】
出力先切替部１１２は、信号分離部１０３から入力された各信号のＰＩＤが、どの情報種別であるかを識別した後、識別した各々の情報種別が、図６に示す出力先切替表の情報種別の欄に登録されているか否かを検索する。出力先切替部１１２は、出力先切替表の情報種別の欄に登録されている場合は、その信号を外部出力対象の信号と判定する（すなわち、図５のステップＳ５０３でＹｅｓと判定する）。なお、出力先切替表の構成として、外部ディスプレイへの出力対象の信号のみを登録する方法の他に、外部ディスプレイへの出力対象以外の信号についても、明示的に外部ディスプレイへの出力対象ではないことが記載されるものとしてもよい。
【０１１６】
なお、出力先切替部１１２は、入力された信号の情報種別に対応する出力変換要否の欄を参照し出力形式の変換の必要性をさらに判定してもよい。この場合、出力先切替部１１２が、出力形式の変換が必要と判定した場合には、ステップＳ５０４において、出力形式の変換が必要であることを示す信号を信号分離部１０３から入力された信号と関連付けて外部出力部１１３に出力する。
【０１１７】
例えば図６に示される緊急メッセージＢは、対応する出力変換要否が「必要」となっているため、出力先切替部１１２は、メッセージＩＤから文字コードへ出力形式の変換が必要であることを示す信号を、情報種別が緊急メッセージＢである入力された信号と関連付けて外部出力部１１３に出力する。
【０１１８】
なお、出力先切替部１１２は、さらに、例えば図７に示されるような外部ディスプレイ１５０の機能情報により、外部出力部１１３への出力の可否を併せて判断してもよい。
【０１１９】
その場合、まず、出力先切替部１１２は、外部ディスプレイ検知部１１１から機能情報を取得する。機能情報は、例えば、図７に示されるような表形式（外部ディスプレイ出力形式対応表という）によって取得される。
【０１２０】
次に、出力先切替部１１２は、信号分離部１０３から入力された信号の出力形式（変換が必要である場合には、変換後の出力形式）に外部ディスプレイ１５０が対応しているか否かを判定する。
【０１２１】
判定の結果、対応していると判定した場合に、出力先切替部１１２は、当該信号を外部出力対象の信号であると判定する。
【０１２２】
次に、外部ディスプレイ検知部１１１が、外部ディスプレイ１５０の接続の有無及び、機能情報を取得する手順について説明する。
【０１２３】
図８は、外部ディスプレイ１５０の機能ブロックを示すブロック図である。
【０１２４】
図８に示されるように、外部ディスプレイ１５０は、表示部１５１と、通信部１５２と、制御部１５４とを備える。
【０１２５】
表示部１５１は、通信路１６０を介して外部出力部１１３から取得した映像信号を表示する。具体的には、ＣＲＴ（Cathode Ray Tube)や、液晶ディスプレイ、プラズマディスプレイ等が考えられるが、視覚を通じて認識可能な他の表示用機器を用いてもよい。
【０１２６】
通信路１６０は、各種映像ケーブルを用いた有線通信の他、無線ＬＡＮ(Local Area Network)等を用いた無線通信を用いてもよい。
【０１２７】
通信部１５２は、通信路１６２を介して外部出力部１１３から出力された制御信号を取得する。ここでいう制御信号とは、外部ディスプレイ検知部１１１が外部ディスプレイ１５０の接続の有無及び、機能情報を取得するために、外部出力部１１３から外部ディスプレイ１５０へ出力する信号である。
【０１２８】
また、通信部１５２は、後述する制御部１５４からの応答信号を、通信路１６２を介して外部出力部１１３へ出力する。
【０１２９】
通信路１６２は、例えば制御信号及び応答信号をＩＰにより送受信する場合には、有線ＬＡＮ又は無線ＬＡＮの使用が想定されるが、ＩＰ以外の通信プロトコルによってもよい。
【０１３０】
制御部１５４は、通信部１５２から制御信号を転送されると、応答信号を生成し、通信部１５２へ出力する。
【０１３１】
制御信号は少なくとも、（１）外部ディスプレイ１５０が外部出力部１１３に接続されているか否かを判断するための接続検出信号と、（２）機能情報とを問い合わせるための表示能力クエリー、を含む。
【０１３２】
外部ディスプレイ１５０は、前述（１）の接続検出信号に対応する応答信号として、例えば接続中信号を外部出力部１１３へ出力する。
【０１３３】
また、外部ディスプレイ１５０は、前述（２）の表示能力クエリーに対応する応答信号として、機能情報を外部出力部１１３へ出力する。機能情報とは、より具体的には、例えば外部ディスプレイ１５０が、（Ａ）文字コード（代表的には、ＡＳＣＩＩ（American Standard Code for Information Interchange）コード又は、Ｕｎｉｃｏｄｅ）を復号し出力できるか、（Ｂ）事前に定められたメッセージＩＤを視聴者に意味のある文字列あるいは画像（アニメーション画像を含む）に変換して出力できるか、（Ｃ）ＳＷＦ（Small Web Format又は、Shockwave Flash)等の特定の実行エンジンを必要とするファイルを再生できるか、といった情報を意味する。さらにまた、上述のような信号が意味する表示情報の種別に加えて、表示情報を適切に表示するために必要な表示装置の解像度に関する情報等を含んでいてもよい。
【０１３４】
図９は、本発明の実施の形態１に係る外部ディスプレイ１５０の処理の流れを示すフローチャートである。
【０１３５】
まず、通信部１５２は、外部出力部１１３との通信Ｉ／Ｆを監視し、外部出力部１１３から出力される制御信号が、通信部１５２へ入力されたか否かを判定する（Ｓ９１０）。制御信号が入力されていない場合（Ｓ９１０でＮｏ）、通信部１５２は監視を継続する。
【０１３６】
通信部１５２へ制御信号が入力された場合（Ｓ９１０でＹｅｓ）、通信部１５２は入力された制御信号を制御部１５４へ出力する。
【０１３７】
次に、制御部１５４は、入力された制御信号が前述の接続検出信号であるか否かを判定する（Ｓ９１２）。判定の結果、接続検出信号であった場合には（Ｓ９１２でＹｅｓ）、制御部１５４は、通信部１５２を介して外部出力部１１３へ、応答信号として、接続中信号を出力する。
【０１３８】
一方、判定の結果、接続検出信号でなかった場合には（Ｓ９１２でＮｏ）、制御部１５４は、制御信号が前述の表示能力クエリーであるか否かを判定する（Ｓ９１６）。判定の結果、表示能力クエリーであった場合には（Ｓ９１６でＹｅｓ）、制御部１５４は、通信部１５２を介して外部出力部１１３へ、応答信号として、機能情報を含む信号を出力する（Ｓ９１８）。
【０１３９】
前述の通り、機能情報とは、例えば図７に示される内容を含む情報である。具体的には、テキスト情報であってもよく、事前に定められた符号を用いて符号化されたバイナリ情報であってもよい。さらに、表示装置１００と外部ディスプレイ１５０との間で事前に取り決められた、対応表にしたがった型番を用いて対応する出力形式を特定する情報等であってもよい。すなわち、最終的に、表示装置１００が備える出力先切替部１１２が、外部ディスプレイ１５０の表示能力を知りうる形式で表現された情報を意味する。
【０１４０】
なお、通信部１５２は、常に非同期的に外部出力部１１３からの制御信号の受信を監視してもよいが、省電力を考慮し、例えば１分毎等、事前に定められた定期的な時間で外部出力部１１３からの制御信号を監視する他、外部ディスプレイ１５０が備えるボタンが視聴者に操作された時刻から一定時間は監視の頻度を高めてもよい。
【０１４１】
また、外部ディスプレイ１５０は、さらに、通常通電状態とスタンバイ状態（省電力状態）とを切り替える電源制御部を備えてもよい。
【０１４２】
その場合、スタンバイ状態であっても通信部１５２への給電を継続することで、通信部１５２に制御信号が入力されることをトリガーとして、スタンバイ状態から通常通電状態へ電源制御部の制御を切り替えることが考えられる。または、制御信号が入力されることをトリガーとして、例えば通信部１５２及び制御部１５４のみに給電する第２のスタンバイ状態へ電源制御部の制御を切り替えてもよい。
【０１４３】
すなわち、本実施の形態に係る表示装置１００は、映像信号と付加情報信号とを含む対象信号を表示する表示部（すなわち、映像信号出力部１０８及び表示部１０９）と、外部表示装置（すなわち、外部ディスプレイ１５０）が接続されているか否かを判定する判定部（すなわち、外部ディスプレイ検知部１１１と外部出力部１１３）と、判定部によって外部表示装置が接続されていると判定された場合、対象信号の一部を外部表示装置に表示させる表示制御部（すなわち、出力先切替部１１２）とを備える。
【０１４４】
また、表示制御部は、判定部によって外部表示装置が接続されていると判定された場合、対象信号に含まれる付加情報信号を外部表示装置に表示させる。
【０１４５】
また、判定部は、接続された外部表示装置が表示可能な信号の種別に関する情報である機能情報を取得し、表示制御部は、機能情報に基づいて対象信号の一部を外部表示装置に表示させる。また、判定部は、機能情報を外部表示装置から取得する。
【０１４６】
また、表示制御部は、対象信号に含まれる信号の各々が、機能情報に含まれているか否かを判定し、含まれていると判定された信号を外部表示装置に表示させる。
【０１４７】
また、表示制御部は、外部表示装置が接続されていないと判定部が判定した場合には、対象信号を表示部に表示させる。
【０１４８】
また、映像信号と付加情報信号とを分離するための識別情報を出力する選局部をさらに備えてもよい。
【０１４９】
また、本実施の形態に係る外部ディスプレイ１５０は、表示部１５１と、通信部１５２と、制御部１５４とを備えており、通信部１５２は、（ａ）接続中であるか否かを判定するための接続検出信号と、（ｂ）外部ディスプレイ１５０が表示可能な対象信号の種別に関する情報である機能情報を取得するための表示能力クエリーと、を含む制御信号を表示装置１００から取得した場合には、取得した制御信号を制御部１５４へ出力し、制御部１５４から出力された制御信号に対応する応答信号を表示装置１００へ出力し、制御部１５４は、（ｉ）制御信号が接続検出信号である場合には、外部ディスプレイ１５０が表示装置１００に接続中であることを示す接続中信号を応答信号として通信部１５２へ出力し、（ｉｉ）制御信号が表示能力クエリーである場合には、機能情報を応答信号として通信部１５２へ出力する。
【０１５０】
以上のように、本発明の実施の形態１に係る表示装置１００によれば、視聴者により表示装置への接続及び切断が可能な外部ディスプレイを活用する場合において、視聴者が接続及び切断の度に設定を変更しなくとも、表示装置１００の表示部１０９および外部ディスプレイ１５０に対して、外部ディスプレイ１５０が表示装置１００に接続されているか否かに応じてそれぞれ最適に必要な信号を出力し、表示することができる。
【０１５１】
すなわち、表示部１０９において放送番組の視聴中に、視聴中の番組の映像を妨げることなく、付加情報信号（例えば、字幕信号、緊急信号、あるいは広告信号等）を外部ディスプレイ１５０に表示することが可能となる。
【０１５２】
言い換えると、外部ディスプレイ１５０を活用することができる状態においては、視聴者は、字幕信号及び緊急信号が表示される場合でも、本来見たい番組の映像が隠されることなく、また映像の表示サイズが維持された状態で視聴することができる。また、表示装置１００から外部ディスプレイ１５０が切り離された場合でも、視聴者は表示装置１００の設定を変更することなく、自動的に字幕信号及び緊急信号を表示装置１００の表示部１０９に表示させることができ、視聴者の使い易さを向上させることができる。また、視聴者は、緊急信号等の必用な信号の表示を確実に見ることができる。
【０１５３】
より具体的には、表示装置１００から外部ディスプレイ１５０が切り離された場合でも、出力先切替部１１２の機能により、視聴者が表示装置１００の設定を変更せずとも、自動的に字幕信号及び緊急信号が、表示装置１００が備える表示部１０９に表示される。
【０１５４】
また、外部ディスプレイ１５０の種別により、その表示能力が異なる場合にも、出力先切替部１１２が表示能力の差異に柔軟に対応して、表示装置１００及び外部ディスプレイ１５０それぞれに表示すべき信号を選択し、制御することができる。
【０１５５】
なお、本実施の形態においては、図５に示されるように、ステップＳ５０２及びステップＳ５０３でともにＹｅｓとなった信号のみが外部出力部１１３に出力され、それ以外の信号が内部の出力先に出力されている。しかし、必ずしもこのように構成する必要はなく、ステップＳ５０２及びステップＳ５０３でともにＹｅｓとなった信号が少なくとも外部出力部１１３に出力されていれば、同様の効果を奏する。よって、Ｓ５０２又はＳ５０３でＮｏとなった信号の少なくとも一部が表示装置１００の音声信号処理部１０４、映像信号処理部１０５、文字等信号処理部１０６等を経由し、表示装置１００の音声信号出力部１０７及び映像信号出力部１０８の少なくとも一方に出力されてもよい。また、ステップＳ５０２又はステップＳ５０３でＮｏとなった信号の一部が外部出力部１１３に出力されてもよい。
【０１５６】
なお、図１に示される表示装置１００の構成要素の内、映像信号出力部１０８、表示部１０９、外部ディスプレイ検知部１１１、外部出力部１１３及び出力先切替部１１２以外の構成要素を備えなくてもよい。
【０１５７】
例えば、出力先切替部１１２は、放送受信部１０１と、選局部１０２と、信号分離部１０３とを備えた、表示装置１００とは別の受信装置から、復調された信号を有線又は無線で受信することが考えられる。
【０１５８】
また、映像信号のみを受信する場合を考えると、表示装置１００は、音声信号処理部１０４、音声信号出力部１０７、及び文字等信号処理部１０６を備えなくてもよい。
【０１５９】
また、表示部１０９がデジタル信号を入力可能な場合には、映像信号処理部１０５を備えなくてもよい。
【０１６０】
以上述べたように、映像信号出力部１０８、表示部１０９、外部ディスプレイ検知部１１１、外部出力部１１３及び出力先切替部１１２以外の構成要素を備えなくても、これらを備えた場合と同様の効果を奏する。
【０１６１】
（実施の形態２）
図１０を用いて、本発明の実施の形態２に係る表示装置２００の構成について説明する。なお、図１０は、本発明の実施の形態２に係る表示装置の構成を示すブロック図である。
【０１６２】
図１０において、表示装置２００における構成要素（ブロック）の内、図１に示す本発明の実施の形態１に係る表示装置１００の構成要素（ブロック）と基本的に同様の機能を有する構成要素（ブロック）については同じ符号を付し、ここでは詳細な説明を省略する。
【０１６３】
表示装置２００は、放送受信部１０１、信号分離部１０３、音声信号処理部１０４、映像信号処理部１０５、文字等信号処理部１０６、音声信号出力部１０７、映像信号出力部１０８、表示部１０９、外部ディスプレイ検知部１１１、出力先切替部１１２、外部出力部１１３、電源制御部２０１および選局部２０２で構成される。
【０１６４】
表示装置２００が表示装置１００と相違する点は、外部ディスプレイ検知部１１１における外部ディスプレイの検知結果が、出力先切替部１１２のみならず選局部２０２にも入力される点と、電源制御部２０１が追加されている点である。
【０１６５】
ここで、請求の範囲の記載と実施の形態２における各部との関係を説明すると、表示部は映像信号出力部１０８と表示部１０９とに対応する。外部表示装置は外部ディスプレイ１５０に相当する。判定部は外部ディスプレイ検知部１１１と外部出力部１１３とに相当する。表示制御部は出力先切替部１１２に相当する。放送受信部は放送受信部１０１に相当する。選局部は選局部２０２に相当する。電源制御部は電源制御部２０１と選局部２０２とに相当する。
【０１６６】
なお、一般的に、表示装置においては、表示部を含む映像信号出力部における消費電力が大きい。本発明の実施の形態２における表示装置２００は、番組を視聴していない場合は、映像信号出力部１０８および表示部１０９に電源を供給しないことで、省電力の効果を得ることができる。
【０１６７】
同様に、番組を視聴していない場合に動作する必要のない構成要素（ブロック）としては、音声信号処理部１０４、映像信号処理部１０５、文字等信号処理部１０６および音声信号出力部１０７等があり、本発明の実施の形態２においては、電源制御部２０１によって、これらの構成要素（ブロック）への電源供給／非供給を制御することが可能である。
【０１６８】
次に、以上のように構成された表示装置２００の動作について説明する。
【０１６９】
外部ディスプレイ検知部１１１は、外部ディスプレイ１５０が接続されているか否かを判定し、その結果を出力先切替部１１２に出力すると共に、選局部２０２に出力する。
【０１７０】
電源制御部２０１は、表示装置２００がスタンバイ状態（省電力状態）か、通常通電状態かを示す、通電状態を管理する。また、電源制御部２０１は、選局部２０２からの指示により、音声信号処理部１０４、映像信号処理部１０５、文字等信号処理部１０６、音声信号出力部１０７、および映像信号出力部１０８への電源供給の有無（有：通常状態、無：スタンバイ状態）を制御する。さらに、電源制御部２０１は、選局部２０２からの通電状態の問合せに対応して、表示装置２００の通電状態が通常通電状態であるかスタンバイ状態であるかを判定し、応答する。
【０１７１】
選局部２０２は、放送受信部１０１から入力された制御信号を用いて、処理すべき信号を特定するためにＴＳで定義される識別情報を特定する。次に、選局部２０２は、特定した識別情報を信号分離部１０３に出力する。特に、識別情報に、処理すべき信号が緊急メッセージ等であることを示す情報（例えば、フラグ等）が含まれている場合、選局部２０２は、電源制御部２０１に対して表示装置２００における通電状態を問い合わせる。
【０１７２】
その結果、電源制御部２０１が、表示装置２００がスタンバイ状態であると判定したときには、選局部２０２は、外部ディスプレイ検知部１１１から外部ディスプレイ１５０が接続されているか否かを示す接続状況を取得する。
【０１７３】
その結果、外部ディスプレイ検知部１１１が、外部ディスプレイ１５０が表示装置２００に接続されていないと判定したときには、選局部２０２は、電源制御部２０１に対して、通電状態をスタンバイ状態から通常通電状態に切り替えるように指示する。
【０１７４】
その結果、電源制御部２０１は、通電状態をスタンバイ状態から通常通電状態に切り替える。
【０１７５】
一方、外部ディスプレイ１５０の消費電力は、表示部分の大きさ（サイズ）や表示性能等の差により、表示装置２００の消費電力と比較して小さい場合が想定される。
【０１７６】
よって、緊急信号を受信した場合に通電状態がスタンバイ状態であっても、外部ディスプレイ検知部１１１が外部ディスプレイ１５０の接続を検知している場合には、選局部２０２は、電源制御部２０１に対して通電状態を通常通電状態とするようには指示せずスタンバイ状態を維持させる。
【０１７７】
この場合、信号分離部１０３で分離された緊急信号は、出力先切替部１１２により、外部出力部１１３へ出力され、外部ディスプレイ１５０に表示される。
【０１７８】
すなわち、本実施の形態に係る表示装置２００は、（ａ）通常の電力供給状態である通常通電状態と、（ｂ）前記判定部と前記表示制御部には電力が供給されるが、前記通常通電状態よりも省電力の通電状態であるスタンバイ状態の、いずれの通電状態であるかを判定する電源制御部２０１をさらに備えており、電源制御部２０１が、通電状態をスタンバイ状態であると判定し、判定部が、外部表示装置が接続されていると判定した場合に、表示制御部は、付加情報信号を外部表示に表示させる。
【０１７９】
また、選局部２０２が、識別情報に、付加情報信号が緊急信号であることを示す情報が含まれていると判定し、電源制御部２０１が、通電状態がスタンバイ状態であると判定し、かつ、判定部が、外部表示装置が接続されていないと判定した場合に、電源制御部は、通電状態をスタンバイ状態から通常通電状態に切り替えてもよい。
【０１８０】
このように構成することにより、表示装置２００がスタンバイ状態から通常通電状態に移行し、緊急メッセージ等を表示可能となるまでに時間を要する場合においても、外部ディスプレイ１５０が接続されているときには、迅速な表示が可能となる。さらに、一般に電力消費の少ない外部ディスプレイ１５０を優先して使用することにより、電力消費量を抑えることができる。
【０１８１】
なお、外部ディスプレイ１５０を優先して使用するか否かを、予め所定の方法によって取得した外部ディスプレイ１５０の消費電力と、予め所定の方法によって保持する表示装置２００の消費電力とを比較することによって判定してもよい。例えば、外部ディスプレイ１５０の消費電力が表示装置２００の消費電力よりも小さい場合に限って、外部ディスプレイ１５０を優先して使用すると判定してもよい。
【０１８２】
以上のように、本発明の実施の形態２に係る表示装置２００によれば、本発明の実施の形態１に係る表示装置１００が奏する効果に加え、省電力を実現できると共に、外部ディスプレイ１５０が接続されているときには迅速な緊急信号の表示が実現できる。
【０１８３】
さらに、外部ディスプレイの接続状態（接続又は切断のいずれかの状態）の如何にかかわらず、視聴者が緊急信号等の不可欠な信号の表示を見逃さないようにすることができ、また、視聴者の使い易さを一段と向上させることができる。
【０１８４】
なお、本発明の実施の形態１および２においては、出力先切替部１１２は、信号分離部１０３の出力信号が一括で入力される単独の処理部である場合を例に挙げて説明したが、音声信号、映像信号および文字等信号にそれぞれ分離された信号に対して、各々独立した３つの処理部として出力先を切り替えるように構成しても、同様の効果が得られることは明らかである。
【０１８５】
この場合、出力先を切り替える機能は、独立した３つの処理部全てに実装されてもよいし、予め外部出力部１１３に出力される可能性がある信号を処理する処理部に対してのみ実装されてもよい。ただし、出力先の切り替え機能が実装された処理部に対しては、外部ディスプレイ検知部１１１から接続状態管理変数の値を入力しなければ切り替えができないことは容易に類推可能である。
【０１８６】
また、本発明の実施の形態１および２においては、放送受信部１０１が放送波を受信する場合を例に挙げて説明したが、これに限られるものではない。例えば、ＩＰ通信路におけるマルチキャスト通信により出力されるデータのみを受信する場合であってもかまわない。但し、この場合は、マルチキャスト通信で伝送される通信データを受信してデジタル信号に復調する通信データ受信手段（放送受信部１０１に相当）が必要となる。
【０１８７】
また、本発明の実施の形態１および２においては、主となる信号である映像信号と、従となる信号である付加情報信号とが同一の伝送経路に多重化されて伝送される場合を例に挙げて説明したが、これに限られるものではない。例えば、主となる信号である映像信号は放送波を経由し、従となる信号である付加情報信号はＩＰ通信路を経由して受信される形態であっても本発明は適用可能である。このような場合、放送受信部１０１は、放送波の受信機能に加えてＩＰ通信路からの受信機能も合わせて具備することとなる。
【０１８８】
また、本発明の実施の形態１および２においては、信号の多重化方法としてデジタル放送に広く用いられるＴＳを例に挙げて説明したが、これに限られるものではない。例えば、ＰＳ（Program Stream）であってもよいし、他の多重化方法であってもかまわない。
【０１８９】
また、付加情報信号として緊急信号を扱う場合、メッセージＩＤを含んだ緊急信号であってもかまわない。この場合、外部出力部１１３が外部ディスプレイ１５０に出力する信号は、メッセージＩＤそのままであって、外部ディスプレイ１５０がメッセージＩＤからメッセージ文字列を生成する形態であってもよいし、外部出力部１１３がメッセージＩＤからメッセージ文字列の信号を生成し、生成した信号を外部ディスプレイ１５０に出力する形態であってもかまわない。
【０１９０】
また、外部出力部１１３は、予め決められた所定の処理を行なった信号を外部ディスプレイ１５０へ出力してもよい。すなわち、外部出力部１１３は、出力の際に、外部ディスプレイ１５０との間で取り決められた変換処理を行なってもよい。例えば、メッセージＩＤを文字列へ変換してもよい。さらに、文字列に加えて、外部ディスプレイ１５０において表示可能なアニメーションを再生させるための命令等への変換等が考えられる。
【０１９１】
また、表示装置１００又は表示装置２００と、外部ディスプレイ（外部表示装置）１５０との接続は、表示装置１００又は表示装置２００から信号を出力するＨＤＭＩ（High-Definition Multimedia Interface）や、ＩＰ通信等を可能とするＥｔｈｅｒｎｅｔ（登録商標）通信路、その他信号を出力するいかなるＩ／Ｆにも制限されるものではない。すなわち、外部出力部１１３から外部ディスプレイ１５０へ出力されるべき信号が出力可能な手段であれば何であってもかまわない。
【０１９２】
また、本発明の実施の形態１および２においては、表示装置１００及び表示装置２００としてデジタルテレビ受信装置を例に挙げて説明したが、アナログテレビ受信装置であっても、信号が多重化されて送られてくる信号に対して対応処理をするときには、同様の方法を用いることが可能であることは容易に類推できる。
【０１９３】
なお、実施の形態１又は２に係る表示装置１００及び表示装置２００の典型的な適用例としては、表示装置１００及び表示装置２００の表示部１０９に表示される主となる信号として映像信号を扱い、従となる信号として、主となる映像信号に多重化されて表示される緊急信号等の付加情報信号を扱う場合を例に挙げることができるがこれに限られない。
【０１９４】
従となる信号の他の具体例として、表示される映像に関わる字幕信号及び広告信号、その他表示される映像とは関係のない信号を扱う場合を挙げることができる。さらには、主となる信号である映像信号とは別の映像信号であってもよいし、視聴者の操作を要求するようなアプリケーション情報であってもよい。より具体的には、EPG情報を含んでもよい。
【０１９５】
また、実施の形態１又は２に係る表示装置１００及び２００が、従となる信号として広告信号を扱うときには、視聴者の視界に含まれる外部ディスプレイ１５０に確実に広告信号を表示させるために、外部ディスプレイ１５０は、表示を消すことができないように構成されることが有効である。その場合、外部ディスプレイ１５０が、表示を消すことができるように不正に改造されていない正規品であることを確認する機能を、外部ディスプレイ検知部１１１が備えることが望ましい。または、外部ディスプレイ１５０が表示装置から取り外され、又は、外部ディスプレイ１５０が非表示状態であると外部ディスプレイ検知部１１１が判定したときには、出力先切替部１１２が、表示装置１００及び２００の表示部にも映像信号を表示しないように制御すること等も考えられる。
【０１９６】
また、字幕信号及び緊急信号が外部ディスプレイ１５０に表示される状態であることを出力先切替部１１２が確認し、確認された場合のみ、広告信号も外部ディスプレイ１５０に表示することができるようにすることが望ましい。
【０１９７】
また、従となる信号として字幕信号及び緊急信号等の信号を扱う場合は、代表的な実現例としては、多重化された信号に、表示に用いられる文字の文字コードが含まれる場合を例に挙げることができる。このような場合、外部出力部１１３は、この文字コードをアナログ映像信号にデコードして出力することも可能であるが、文字コードのまま出力する方が表示装置１００及び２００における実装が簡単となり、かつ、外部ディスプレイ１５０による表示の独自性を確保することが可能となる。
【０１９８】
なお、表示部１０９及び外部ディスプレイ１５０は必ずしも異なる映像を表示する必要はない。また、例えば、表示部１０９が映像信号に加えて文字信号等の付加情報信号を表示し、外部ディスプレイ１５０が文字信号等の付加情報信号に加えて映像信号を表示してもよい。
【０１９９】
より具体的には、表示装置１００が受信した全ての映像信号と全ての付加情報信号の両信号からなる信号（以後、対象信号という）のうち、表示部１０９に表示される信号は、次に挙げる８通りの場合のいずれであってもよい。
【０２００】
（１）全ての映像信号と、全ての付加情報信号
（２）全ての映像信号と、付加情報信号の一部
（３）映像信号の一部のみ
（４）付加情報信号の一部のみ
（５）映像信号の一部と、付加情報信号の一部
（６）全ての映像信号のみ
（７）全ての付加情報信号のみ
（８）映像信号の一部と、全ての付加情報信号
【０２０１】
上記８通りの各場合において、外部ディスプレイ１５０に表示される信号は、対象信号から、表示部１０９に表示される信号を除いた残る全ての信号となる。それに加え、外部ディスプレイ１５０に表示される信号には、対象信号に含まれる他の信号が、さらに含まれていてもよい。
【０２０２】
なお、付加情報信号が音声信号を含んでいてもよい。この場合、外部ディスプレイ１５０は、自身が備えるスピーカ装置から音声信号を再生する。
【０２０３】
なお、上記表示装置１００及び２００が備える外部出力部１１３から出力される制御信号には、機能情報を問い合わせるための表示能力クエリーが含まれていなくともよい。
【０２０４】
なお、実施の形態１又は２で説明した表示装置１００及び２００並びに外部ディスプレイ１５０は、コンピュータにより実現することも可能である。図１２を参照して、表示装置は、コンピュータ３４と、コンピュータ３４に指示を与えるためのキーボード３６及びマウス３８と、コンピュータ３４の演算結果等の情報を提示するためのディスプレイ３２と、コンピュータ３４で実行されるプログラムを読み取るためのＣＤ−ＲＯＭ（Compact Disc-Read Only Memory）装置４０及び通信モデム（図示せず）とを含む。
【０２０５】
表示装置及び外部ディスプレイが行う処理であるプログラムは、コンピュータで読取可能な媒体であるＣＤ−ＲＯＭ４２に記憶され、ＣＤ−ＲＯＭ装置４０で読み取られる。または、コンピュータネットワークを通じて通信モデム５２で読み取られる。
【０２０６】
図１３は、表示装置１００及び２００並びに外部ディスプレイ１５０を実現するコンピュータシステムのハードウェア構成を示すブロック図である。コンピュータ３４は、ＣＰＵ（Central Processing Unit）４４と、ＲＯＭ（Read Only Memory）４６と、ＲＡＭ（Random Access Memory）４８と、ハードディスク５０と、通信モデム５２と、バス５４とを含む。
【０２０７】
ＣＰＵ４４は、ＣＤ−ＲＯＭ装置４０又は通信モデム５２を介して読み取られたプログラムを実行する。ＲＯＭ４６は、コンピュータ３４の動作に必要なプログラムやデータを記憶する。ＲＡＭ４８は、プログラム実行時のパラメタ等のデータを記憶する。ハードディスク５０は、プログラムやデータ等を記憶する。通信モデム５２は、コンピュータネットワークを介して他のコンピュータとの通信を行う。バス５４は、ＣＰＵ４４、ＲＯＭ４６、ＲＡＭ４８、ハードディスク５０、通信モデム５２、ディスプレイ３２、キーボード３６、マウス３８及びＣＤ−ＲＯＭ装置４０を相互に接続する。
【０２０８】
さらに、上記の表示装置１００及び表示装置２００並びに外部ディスプレイ１５０を構成する構成要素の一部は、１個のシステムＬＳＩ（Large Scale Integrated Circuit：大規模集積回路）から構成されているとしてもよい。システムＬＳＩは、複数の構成部を１個のチップ上に集積して製造された超多機能ＬＳＩである。
【０２０９】
さらにまた、上記の表示装置１００及び表示装置２００並びに外部ディスプレイ１５０を構成する構成要素の一部は、表示装置１００及び表示装置２００並びに外部ディスプレイ１５０に脱着可能なＩＣカード又は単体のモジュールから構成されているとしてもよい。ＩＣカード又はモジュールは、マイクロプロセッサ、ＲＯＭ、ＲＡＭ等から構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０２１０】
また、本発明は、上記に示す方法であるとしてもよい。また、これらの方法をコンピュータにより実現するコンピュータプログラムであるとしてもよい。
【０２１１】
さらに、本発明は、上記コンピュータプログラム又は上記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Blu-ray Disc（登録商標））、ＵＳＢメモリ、ＳＤカード等のメモリカード、半導体メモリ等に記録したものとしてもよい。
【０２１２】
また、本発明は、上記コンピュータプログラム又は上記デジタル信号を、電気通信回線、無線又は有線通信回線、インターネットを代表とするネットワーク、データ放送等を経由して伝送するものとしてもよい。
【０２１３】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしてもよい。
【０２１４】
また、上記プログラム又は上記デジタル信号を上記記録媒体に記録して移送することにより、又は上記プログラム又は上記デジタル信号を、上記ネットワーク等を経由して移送することにより、独立した他のコンピュータシステムにより実施するとしてもよい。
【０２１５】
さらに、上記実施の形態及び上記変形例をそれぞれ組み合わせるとしてもよい。
【０２１６】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０２１７】
本発明に係る表示装置は、映像信号と映像信号とは異なる付加情報信号が多重化されて伝送される放送波を受信するデジタルテレビ受信装置や、ＩＰ通信網を介して伝送される通信データを受信する受信装置に対して、視聴者が見ている映像を妨げることなく、地震速報等の緊急信号の表示を確実に行なうことを可能とする。また、外部ディスプレイの接続及び切断をした場合でも、視聴者は設定をしたり設定を変更したりすることなく確実に重要な信号を確認することが可能なため、ポータブルＡＶ機器を外部ディスプレイとして活用することも可能である。
【符号の説明】
【０２１８】
３２  ディスプレイ
３４  コンピュータ
３６  キーボード
３８  マウス
４０  ＣＤ−ＲＯＭ装置
４２  ＣＤ−ＲＯＭ
４４  ＣＰＵ
４６  ＲＯＭ
４８  ＲＡＭ
５０  ハードディスク
５２  通信モデム
５４  バス
１００、２００  表示装置
１０１、９０１  放送受信部
１０２、９０２  選局部
１０３、９０３  信号分離部
１０４、９０４  音声信号処理部
１０５、９０５  映像信号処理部
１０６、９０６  文字等信号処理部
１０７、９０７  音声信号出力部
１０８、９０８  映像信号出力部
１０９、１５１、９０９  表示部
１１１  外部ディスプレイ検知部
１１２  出力先切替部
１１３  外部出力部
１５０  外部ディスプレイ
１５２  通信部
１５４  制御部
１６０、１６２  通信路
２０１  電源制御部
２０２  選局部
９００  デジタルテレビ受信装置
【図１】
0005536047.tif 000002
【図２】
0005536047.tif 000003
【図３】
0005536047.tif 000004
【図４】
0005536047.tif 000005
【図５】
0005536047.tif 000006
【図６】
0005536047.tif 000007
【図７】
0005536047.tif 000008
【図８】
0005536047.tif 000009
【図９】
0005536047.tif 000010
【図１０】
0005536047.tif 000011
【図１１】
0005536047.tif 000012
【図１２】
0005536047.tif 000013
【図１３】
0005536047.tif 000014